(57)【要約】【課題】メモリーカード暗号化及び復号化によるデジタルコンテンツ保護方法を提供する。【解決手段】デジタルコンテンツ保護方法は、メモリーカードの暗号化及び復号化を身分識別媒介及び授権標的とし、デジタルコンテンツ製作端末が所定フォーマットを利用し、デジタルコンテンツを有し、且つ暗号化を経たメモリーカードを実行するか、またはデジタルコンテンツがネットワークによって暗号化したメモリーカードにダウンロードされ、ネットワーク復号端末を組み合わせ、クライアント端末がネットワークと連通し、ＳＭＯＤウェブサーバーと連通後、該サーバーによって対応する復号化方式を提供することによって、復号化し、該メモリーカードコンテンツに使用を獲得させ、広範囲の音楽、映像等デジタルコンテンツをＳＤ等のメモリーカード中に保存させ、著作が任意に複製、増加削除または修正されないように確保し、デジタル防護方法とする。【選択図】図１
2009536379.tif 000002
【特許請求の範囲】
【請求項１】
以下のステップ
Ａ、デジタルコンテンツ製作端末が所定フォーマットを利用し、デジタルコンテンツを有し、且つ暗号化を経たメモリーカードを行うか、またはデジタルコンテンツがネットワークダウンロード端末によって暗号化されたメモリーカードに至り、
Ｂ、前記のメモリーカードに対して復号化する、
ステップを含むメモリーカード暗号化及び復号化によりデジタルコンテンツを保護する方法。
【請求項２】
前記デジタルコンテンツが映像コンテンツまたは音楽コンテンツを含む請求項１記載のメモリーカード暗号化及び復号化によりデジタルコンテンツを保護する方法。
【請求項３】
前記メモリーカードがＳＤ、ＭＭＣ、ＣＦ、ＭＳ、ＳＭ、ＸＤのグループ中からいずれか1種を選択する請求項１記載のメモリーカード暗号化及び復号化によりデジタルコンテンツを保護する方法。
【請求項４】
前記デジタルコンテンツが圧縮を経て圧縮されたファイル形式を形成する請求項１記載のメモリーカード暗号化及び復号化によりデジタルコンテンツを保護する方法。
【請求項５】
前記暗号化が電子透かし暗号化である請求項１記載のメモリーカード暗号化及び復号化によりデジタルコンテンツを保護する方法。
【請求項６】
前記暗号化がデジタルコンテンツ販社のＩＤ暗号化である請求項１記載のメモリーカード暗号化及び復号化によりデジタルコンテンツを保護する方法。
【請求項７】
前記復号化の方法が電子メール復号化である請求項１記載のメモリーカード暗号化及び復号化によりデジタルコンテンツを保護する方法。
【発明の詳細な説明】
【技術分野】
【０００１】
本発明は、メモリーカード暗号化及び復号化によりデジタルコンテンツを保護する方法に関し、特にデジタルコンテンツに対する防護及び管理方法に関する。
【背景技術】
【０００２】
コンピュータ及びデジタル技術の進歩により、多くの考案、著作のコンテンツ、例えば、映画または音楽コンテンツがデジタルＡＶ圧縮ファイルに変換され、該ファイルをＣＤ，ＤＶＤ等のＡＶメディアに焼付け一般のクライアント端末に使用を提供している。該考案（発明）、著作のコンテンツは、映画又は音楽以外に、講演、教育ビデオ、舞台劇等の広範囲に及び、何れもコンテンツをデジタルＡＶ圧縮ファイル（以下、デジタルコンテンツと呼ぶ）に変換することができる。
【特許文献１】CN１４２５１７３A
【発明の開示】
【発明が解決しようとする課題】
【０００３】
しかしながら、圧縮及び複製技術の熟成によって、前記のデジタルコンテンツは、映画または音楽コンテンツを問わず、何れも各種ファイル形式に容易に形成され、各種複製、焼付け等の技術を介して再製し、更にネットワークのあおり立てによって、散布される媒介となり、より広範囲にアップロード及びダウンロードを提供し、複製されたコンテンツが全体に伝達、拡散される。それにより、デジタルコンテンツ（特に音楽または映画）の製作の心血及び著作コンテンツは、科学技術が提供する環境により容易に打ち破られ、全く防備されなくなる。
これが多くの著作者の創造意欲を低落させ、知的財産権を重視する昨今の文明社会に対して、全く問題にしないのは、極めて大きな発展の障害であるので、科技防護方法を介して著作コンテンツに対して如何に複製の障害、及びコンテンツの保護を形成するかは、多くのＡＶ出版、発行業者更には芸能人及び作詞作曲家等が高度に重視するものであり、更に、国内科学技術基本法及び関連の科学技術法令の立法の好意に適合するものである。
【０００４】
また、前記の記録搬送担体(キャリア)は、一般的に言えば、ＣＤ，ＤＶＤ等の光ディスクが現在の市場の主流であるが、その重複使用の技術によって、少数のリライト可能式の光ディスクが複数回重複焼付けできる以外に、その重複焼付け形態は、早期の録音テープのような普及性を形成しておらず、且つ体積が比較的大きな関係によって、現在多くは、再生機器（MP3プレイヤー等）を使用し、同期使用することができず、該デジタルコンテンツを前記のキャリヤを経由して読み取り、ＳＤカード等のメモリーカードに複製し使用する。
【０００５】
従って、現在メモリーカードは、デジタルファイルデータの保存として用いられる（目的は、磁気ディスク等と同様）。それを前記デジタルコンテンツのキャリアとして積極的に形成し、同時にＳＤカード（Secured Digital Card)の安全デジタル特性及び体積が小さい特性と組み合わせ、好適なデジタルコンテンツキャリヤの形成に適合することができ、同時に、携帯性が高く、適用範囲が広い安全防護方法を有している。現在市場に流通するＳＤメモリーカードは、伝送速度及び容量が既に大幅に向上され、その技術の熟成により製品価格が広範囲に受け入れられ、メモリーカードを好適なデジタルコンテンツキャリヤとして形成する条件は更に熟成している。
しかしながら、現在、ＳＤメモリーカードを一般電子書等のデジタルコンテンツのキャリアとして発行しているが、そのＳＤメモリーカード上のデジタルコンテンツが勝手に複製されないようにするため、相対する認証ソフトウェアが放映するよう設計し、その使用を制限及び管理しているが、その管理方法は、過度に硬直化し、デジタルコンテンツの発行に大きな制限を受けさせている。
【課題を解決するための手段】
【０００６】
本発明は、メモリーカード暗号化及び復号化によりデジタルコンテンツを保護する方法を設計し、その目的は、デジタルコンテンツの製作端末の所定フォーマットを利用し、デジタルコンテンツを有し、且つ暗号化を経たメモリーカードを実行するか、デジタルコンテンツがネットワークにより暗号化されたメモリーカードにダウンロードされ、その後前記のメモリーカードに対して復号化することを含むメモリーカード暗号化及び復号化を身分識別媒介及びライセンス標的とする方法を介することである。
【０００７】
該デジタルコンテンツがネットワークにより暗号化されたメモリーカードにダウンロードされる場合、クライアントは、暗号化されたメモリーカードにダウンロードする過程を経て該デジタルコンテンツに対して復号化し、該メモリーカードがデジタルコンテンツを形成する時に暗号化する場合、クライアント端末が各種再生プラットフォームの提供する再生ソフトウェアを使用した後、メモリーカードの身分認証方法、メモリーカード内及び各種再生プラットフォーム中の再生ソフトウェア内の暗号化及び復号化方法が対応する復号化方式によって復号化し、復号化によって、該メモリーカードコンテンツを獲得使用させることができ、本発明を広範囲の音楽、映像等デジタルコンテンツをＳＤ等のメモリーカード中に保存させ、著作が任意に複製、増加削除または修正されないように確保し、デジタル防護方法とすることができる。
【０００８】
本発明のもう１つの目的は、前記メモリーカードの暗号化及び復号化によりデジタルコンテンツを保護する方法の実施において、そのうち、該デジタルコンテンツは、映像コンテンツまたは音声信号コンテンツを含み、映像または音楽等の最も普及したデジタルコンテンツに対して具体的な保護を形成することである。
【０００９】
本発明の更にもう1つの目的は、前記メモリーカードの暗号化及び復号化によりデジタルコンテンツを保護する方法の実施において、そのうち、該メモリーカードがＳＤ、ＭＭＣ、ＣＦ、ＭＳ、ＳＭ、ＸＤのグループ中からいずれか1種を選択し、本発明の各種メモリーカードの使用範囲を拡大することである。
【００１０】
本発明の更にもう1つの目的は、前記メモリーカードの暗号化及び復号化によりデジタルコンテンツを保護する方法の実施において、そのうち、該デジタルコンテンツがデータ圧縮を経て圧縮したファイル形式を形成し、各種のメモリーカードの容量を、デジタルコンテンツの相対圧縮において、相対して比較的大きな容量を有するようにすることである。
【００１１】
本発明は、更にもう１つの目的は、前記メモリーカードの暗号化及び復号化によりデジタルコンテンツを保護する方法の実施において、そのうち、該暗号化が電子透かし暗号化またはコンテンツデジタルコンテンツ販社のＩＤ暗号化であり、異なる暗号化手段により異なるデジタルコンテンツを広範囲に組み合わせることができ、適合した暗号化技術とすることである。
【００１２】
本発明は、ＳＤカード等のメモリーカードを、現有のＣＤ，ＤＶＤ等のデジタルコンテンツのファイルキャリアに置き換えるが、一般の任意のファイル転送及び違法コピーの防止を強化するため、一般芸術考案者に創作により発行されるデジタルコンテンツ価値の管理機能に合理を得られるデジタルコンテンツ管理方法である。
【００１３】
また、そのうち、本発明が指す保護とは、非授権者がデジタルコンテンツの複製、読み取りを行うことを防止する及び改竄、任意の増加削除等の措置を防止することである。複製は、著作権中の「再製」行為であるので、改竄及び増加削減は、文書の正確及び著作者人権の範疇に係り、何れも保護の概念が及ぶものである。
【発明の効果】
【００１４】
本発明のメモリーカード暗号化及び復号化によりデジタルコンテンツを保護する方法によれば、広範囲に音声、映像等のデジタルコンテンツをＳＤメモリーカード１１に保存し、著作が任意に複製、増加削除又は修正されないように確保することができ、デジタル防護方法となる。更に説明すると、本発明は、ＳＤカード等のメモリーカード１１を現有のＣＤ，ＤＶＤ等のデジタルコンテンツのファイルのキャリヤに置き換えるが、一般の任意のファイル転送及び違法コピーの防止を強化するため、一般芸術考案者に創作により発行されるデジタルコンテンツ価値の管理機能に合理を得られるデジタルコンテンツ管理方法（機制、機構）である。
【００１５】
更に、具体的に言えば、デジタルコンテンツ提供業者がコンテンツを暗号化、電子透かし暗号化またはデジタルコンテンツ販社ＩＤ暗号化し、各種ＡＶ形式圧縮システムにより、各種ＡＶ形式圧縮を行い、電子メール方式で暗号化を行い、デジタルコンテンツが作業員またはハッカーにより侵害され散布されることを回避する。この暗号化且つ各種ＡＶ形式のＡＶまたはデジタルコンテンツをＳＤ音楽チップ/ＳＤ映像チップの実質的販売経路の製作発行業者またはＳＤ音楽チップ/ＳＤ映像チップネットワーク販売経路に提供する場合、ＳＤ音楽チップ/ＳＤ映像チップの実際の販売経路において、デジタルコンテンツ製作業者がクランプ及び対応する電子メール復号方式及びＤＲＭ方法を利用し、ＳＤ音楽チップ/ＳＤ映像チップの製作を行った後、ＳＤ音楽チップ/ＳＤ映像チップ方式で直接クライアント端末３に販売することができる。ＳＤ音楽チップ/ＳＤ映像チップネットワーク販売経路部分において、クライアント端末３がネットワークを介してＳＭＯＤウェブサーバー（SMOD Web Server）と連通した後、該サーバーによって対応する電子メール復号方式を提供した後、データベース中に置くことができる。クライアント端末３が元のＳＤ音楽チップ/ＳＤ映像チップでネットワークダウンロードを行う時、ＳＭＯＤウェブサーバーに連通後、該サーバーによってＳＤ音楽チップ/ＳＤ映像チップのＳＤＩＤ（ＳＤカードのＳＤＩＤまたはＳＤカードがパーティションを経る時、パーティションテーブルに置かれるＩＤ）を先行利用し、身分識別を行い、ＤＲＭ方法の暗号化動作を行った後、クライアント端末３にＳＤ音楽チップ/ＳＤ映像チップでネットワークダウンロードを行わせることができる。ＳＭＯＤウェブサーバーが連通後、該サーバーは、会員管理、蓄積値管理、料金流及び清算機制構管理、音楽ダウンロード管理等の機能を提供することができる。
【００１６】
また、クライアント端末３がＳＤ音楽チップ/ＳＤ映像チップを得た後、各式デジタルコンテンツプレイヤーを使用して再生することができ、上記のプレイヤー中には、何れもＤＲＭ（Digital Right Management）方法（機制、機構）を含み、データ経路上の管制措置とみなすことができ、適切に対価を提出した状況で、相対する安全保護方法を提供することができ、データアップロードするデジタルコンテンツが悪意を有するものに違法複製及び散布されることを防ぐことができる。クライアント端末３が再生する各種デジタルコンテンツに暗号化保護作用を持たせ、クライアント端末３が勝手に散布することを防止し有限回数の複製を行わせることができ、クライアント端末３が、電源回数のデジタルコンテンツプレイヤーを使用し再生することができ、有限時間の再生を制限することができ、デジタルコンテンツの試験再生として使用することができる。
【発明を実施するための最良の形態】
【００１７】
以下に図面を介して本発明の内容、特長及び実施例を説明する。
図１に示すように、本発明が設計するメモリーカードの暗号化及び復号化によりデジタルコンテンツを保護する方法は、以下の構成を含む。
デジタルコンテンツ製作端末１：
デジタルコンテンツを有し、且つ暗号化されたメモリーカード１１を製造する。そのうち、該デジタルコンテンツが映像コンテンツ、音楽コンテンツまたは任意のファイル形式（圧縮を経て形成される圧縮されたファイル形式を含む）を介して保存され、経済価値を有するコンテンツを含み、該メモリーカード１１は、ＳＤ、ＭＭＣ、ＣＦ、ＭＳ、ＳＭ、ＸＤのグループのいずれか1種であり、本発明の各種メモリーカード１１の使用範囲を拡大することができる（本文中のＳＤカードに関する説明は、その広義は、ＳＤ、ＭＭＣ、ＣＦ、ＭＳ、ＳＭ、ＸＤのグループ中にいずれか1種の性質に相応するメモリーカードである）。そのうち、該暗号化は、電子透かし暗号化またはコンテンツ販社のＩＤ暗号化であり、異なる暗号化手段により、異なるデジタルコンテンツを広範囲に組み合わせることができ、適合した暗号化技術とすることができる。電子透かし技術は、マルチメディアデータ上に幾つかのデータを加え、必要時、特定方法を経て該データを読み取り、その著作の所有権を示すことができる。電子透かしの特性は、広義に言えば、「デジタル/アナログサイン」であり、元のデータと区別を行い、版権管理及び身分確認をすることができる。例えば、版権の有権者（Copyright Owner）が電子透かしに嵌め込まれ、データ中から検出（detect）し、電子透かしを解読（decode）し、版権の制御に用い、該電子透かしは、「版権所有」の証明であり、電子透かしに加えられた版権有権者だけが、透かしを解読する方法を有する。
【００１８】
本発明中のデジタルコンテンツの所有は、その経路もネットワークにより暗号化されたメモリーカードにダウンロードすることができ、同様に該メモリーカード１１にデジタルコンテンツを獲得できるようにする。
【００１９】
ネットワークダウンロード端末２：
前記のメモリーカード１１に対して復号化し、該デジタルコンテンツがネットワークダウンロード端末２により暗号化されたメモリーカードに至る場合、クライアント端末３が暗号化されたメモリーカードにダウンロードする過程を経て、該デジタルコンテンツに対して復号化し、該メモリーカード１１がデジタルコンテンツを形成する場合、クライアント端末３を経て各種再生プラットフォームが提供する再生ソフトウェアの使用を経た後、メモリーカード１１の身分認証方法、メモリーカード１１内および各種再生プラットフォーム中の再生ソフトウェア内の暗号化及び復号化方法によって復号化し、復号化により、該メモリーカード１１のコンテンツを獲得使用させることができる。
【００２０】
この方法により、本発明に広範囲に音声、映像等のデジタルコンテンツをＳＤメモリーカード１１に保存し、著作が任意に複製、増加削除又は修正されないように確保することができ、デジタル防護方法となる。更に説明すると、本発明は、ＳＤカード等のメモリーカード１１を現有のＣＤ，ＤＶＤ等のデジタルコンテンツのファイルのキャリヤに置き換えるが、一般の任意のファイル転送及び違法コピーの防止を強化するため、一般芸術考案者に創作により発行されるデジタルコンテンツ価値の管理機能に合理を得られるデジタルコンテンツ管理方法である。
【００２１】
更に具体的に言えば、デジタルコンテンツ提供業者がコンテンツを暗号化、電子透かし暗号化またはデジタルコンテンツ販社ＩＤ暗号化し、各種ＡＶ形式圧縮システムにより、各種ＡＶ形式圧縮を行い、電子メール方式で暗号化を行い、デジタルコンテンツが作業員またはハッカーにより侵害され散布されることを回避する。この暗号化且つ各種ＡＶ形式のＡＶまたはデジタルコンテンツをＳＤ音楽チップ/ＳＤ映像チップの実質的な販売経路の製作製作発行業者またはＳＤ音楽チップ/ＳＤ映像チップネットワーク販売経路に提供する場合、ＳＤ音楽チップ/ＳＤ映像チップの実際の販売経路において、デジタルコンテンツ製作業者が所定フォーマット(クランプ：制作者が使用する特殊なフォーマット形式)及び対応する電子メール復号方式及びＤＲＭ方法を利用し、ＳＤ音楽チップ/ＳＤ映像チップの製作を行った後、ＳＤ音楽チップ/ＳＤ映像チップ方式で直接クライアント端末３に販売することができる。
ＳＤ音楽チップ/ＳＤ映像チップネットワーク販売経路部分において、クライアント端末３がネットワークを介してＳＭＯＤウェブサーバー（SMOD Web Server）と連通した後、該サーバーによって対応する電子メール復号方式を提供した後、データベース中に置くことができる。クライアント端末３が元のＳＤ音楽チップ/ＳＤ映像チップでネットワークダウンロードを行う時、ＳＭＯＤウェブサーバーに連通後、該サーバーによってＳＤ音楽チップ/ＳＤ映像チップのＳＤＩＤ（ＳＤカードのＳＤＩＤまたはＳＤカードがパーティションを経る時、パーティションテーブルに置かれるＩＤ）を先行利用し、身分識別を行い、ＤＲＭ方法の暗号化動作を行った後、クライアント端末３にＳＤ音楽チップ/ＳＤ映像チップでネットワークダウンロードを行わせることができる。ＳＭＯＤウェブサーバーが連通後、該サーバーは、会員管理、蓄積値管理、料金流及び清算機制管理、音楽ダウンロード管理等の機能を提供することができる。
【００２２】
また、クライアント端末３がＳＤ音楽チップ/ＳＤ映像チップを得た後、各式デジタルコンテンツプレイヤーを使用して再生することができ、上記のプレイヤー中には、何れもＤＲＭ（Digital Right Management）方法を含み、データ経路上の管制措置とみなすことができ、適切に対価を提出した状況で、相対する安全保護方法を提供することができ、データアップロードするデジタルコンテンツが悪意を有するものに違法複製及び散布されることを防ぐことができる。クライアント端末３が再生する各種デジタルコンテンツに暗号化保護作用を持たせ、クライアント端末３が勝手に散布することを防止し有限回数の複製を行わせることができ、クライアント端末３が、電源回数のデジタルコンテンツプレイヤーを使用し再生することができ、有限時間の再生を制限することができ、デジタルコンテンツの試験再生として使用することができる。
【００２３】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００２４】
【図１】本発明の方法のフロー図である。
【符号の説明】
【００２５】
１  デジタルコンテンツ製作端末
１１  メモリーカード
２  ネットワークダウンロード端末
３  クライアント端末
【図１】
2009536379.tif 000003
【国際調査報告】
2009536379.tif 000004
2009536379.tif 000005
2009536379.tif 000006
2009536379.tif 000007